(57)【特許請求の範囲】
【請求項１】
複数種類の画像入力媒体のうちのいずれか１つの画像入力媒体から第１の画像情報を入力し、
該第１の画像情報を画像入力媒体の種類によらず予定の画像サイズとなるように解像度変換して第２の画像情報として得、
該第２の画像情報に基づき画像処理条件を決定し、該第１の画像情報を該画像処理条件にて画像処理変換して新たに第３の画像情報を得、
該第３の画像情報に基づきプリントを作成することを特徴とするプリント作成方法。
【請求項２】
前記第１の画像情報は、撮影用写真フィルム及び／又は反射原稿から読み込み入力されたものであり、かつ、前記第２の画像情報と同じ予定の画像サイズであることを特徴とする請求項１に記載のプリント作成方法。
【請求項３】
前記撮影用写真フィルム及び／又は反射原稿から読み込み入力した画像情報に基づき画像処理条件を決定し、前記画像情報より高解像度の前記撮影用写真フィルム及び／又は反射原稿から読み込み入力した画像情報に対して前記画像処理条件で画像処理変換して新たな画像情報を得るものであることを特徴とする請求項２に記載のプリント作成方法。
【請求項４】
前記画像処理条件が、色及び／又は濃度補正条件であることを特徴とする請求項１乃至請求項３のいずれか１項に記載のプリント作成方法。
【請求項５】
前記第１の画像情報がデジタルカメラにより得られた画像情報であることを特徴とする請求項１乃至請求項４のいずれか１項に記載のプリント作成方法。
【請求項６】
前記第２の画像情報が前記第１の画像情報より低解像度であることを特徴とする請求項１乃至請求項５のいずれか１項に記載のプリント作成方法。
【請求項７】
複数種類の画像入力媒体のうちのいずれか１つの画像入力媒体から第１の画像情報を入力する入力手段と、
該第１の画像情報を画像入力媒体の種類によらず予定の画像サイズとなるように解像度変換して第２の画像情報として得る解像度変換手段と、
該第２の画像情報に基づき画像処理条件を決定し、該第１の画像情報を該画像処理条件にて画像処理変換して新たに第３の画像情報を得る画像処理手段と、を有し、
該第３の画像情報に基づきプリントを作成することを特徴とするプリント作成装置。
【請求項８】
前記第１の画像情報は、撮影用写真フィルム及び／又は反射原稿から読み込み入力されたものであり、かつ、前記第２の画像情報と同じ予定の画像サイズであることを特徴とする請求項７に記載のプリント作成装置。
【請求項９】
前記撮影用写真フィルム及び／又は反射原稿から読み込み入力した画像情報に基づき画像処理条件を決定し、該画像情報より高解像度の前記撮影用写真フィルム及び／又は反射原稿から読み込み入力した画像情報に対して前記画像処理条件で画像処理変換して新たな画像情報を得るものであることを特徴とする請求項８に記載のプリント作成装置。
【請求項１０】
前記画像処理条件が、色及び／又は濃度補正条件であることを特徴とする請求項７乃至請求項９のいずれか１項に記載のプリント作成装置。
【請求項１１】
前記第１の画像情報がデジタルカメラにより得られた画像情報であることを特徴とする請求項７乃至請求項１０のいずれか１項に記載のプリント作成装置。
【請求項１２】
前記第２の画像情報が前記第１の画像情報より低解像度であることを特徴とする請求項７乃至請求項１１のいずれか１項に記載のプリント作成装置。
【発明の詳細な説明】
【０００１】
【発明の属する技術分野】
この発明は、プリント作成方法及びプリント作成装置に関するものである。
【０００２】
【従来の技術】
画像情報に基づきプリントを作成するいわゆるデジタルプリンタの普及に伴い、各種の画像入力媒体や画像入力装置からの画像を扱う機会が増加している。その一つとして、各種のデジタルカメラにより得られた画像情報からプリントを作成することも行われてきているが、デジタルカメラにより得られた画像情報は、カメラ側で被写体の輝度に基づき規格化された所定の色空間に信号を変換することにより、その画質の均質化を図ることが一般的に行われている。
【０００３】
【発明が解決しようとする課題】
しかし実際には、デジタルカメラの種類によって所定の色空間への変換の精度や撮像系の変動がまちまちであり、カメラ側で規格化してあると言っても常に均質の画像情報を得ることができるとは限らず問題であった。
【０００４】
また、デジタルカメラの画像情報記憶用メモリの増加に伴い、デジタルカメラでの撮影枚数も増加してきており、各種のデジタルカメラにより得られた画像情報からプリントを作成するには、多数の画像情報に対して必要な画像処理条件を高速に設定することが必要とされ、その開発が急務であった。
【０００５】
また、デジタルカメラに限らず、各種の画像入力媒体からのデジタル画像は、その画像サイズ（画像情報の縦横の画素数）がまちまちであり、例えば、画像情報に基づきプリントを作成する場合などでは、デジタル画像の種類に応じてそれぞれ専用の画像処理系を準備して、色や濃度を調整する必要が生じ、処理系が複雑になっては問題であった。
【０００６】
特にフィルムスキャナを有し、該フィルムスキャナより得られた画像情報に基づき色補正等の各種画像処理を行い、プリントを作成する系が確立されているいわゆるデジタル方式のミニラボの系では、作業者に作業の複雑さを感じさせずに、各種のデジタル画像に対応できることが急務とされていた。
【０００７】
この発明は、前記の実情に鑑みてなされたもので、各種の画像入力媒体により得られた画像情報を入力し、画質の均質化処理や画像合成処理の共通化を図ることが可能なプリント作成方法及びプリント作成装置を提供することを目的としている。
【０００８】
【課題を解決するための手段】
前記課題を解決し、かつ目的を達成するために、この発明は、以下のように構成した。
【０００９】
請求項１記載の発明は、『複数種類の画像入力媒体のうちのいずれか１つの画像入力媒体から第１の画像情報を入力し、該第１の画像情報を画像入力媒体の種類によらず予定の画像サイズとなるように解像度変換して第２の画像情報として得、該第２の画像情報に基づき画像処理条件を決定し、該第１の画像情報を該画像処理条件にて画像処理変換して新たに第３の画像情報を得、該第３の画像情報に基づきプリントを作成することを特徴とするプリント作成方法。』である。
【００１０】
この請求項１記載の発明によれば、各種の画像サイズの画像情報に対して解像度変換を実施して、予定のサイズの画像情報を得ることにより、その後の画像処理工程が共通で利用可能となり、処理系を複雑にすることなく、画像処理の応用範囲を拡大できる。予定のサイズは、１つでも、複数でも用意してよい。
【００１２】
また、この請求項１記載の発明によれば、各種の画像入力媒体からの画像情報の画質を均質化するための画像処理条件を導き出すための画像演算等の処理工程を共通で利用可能となる。なお、本発明でいう画像入力媒体とは、画像情報の記録されているＣＤ−ＲＯＭ、フロッピー（登録商標）ディスク、光磁気ディスク、ハードディスク等の各種の記録メディアを示し、デジタルカメラ、デジタルビデオカメラ等にカメラ本体内に画像情報を記憶してなるものも含む。
さらに、この請求項１に記載の発明によれば、各種のデジタル画像情報を入力し、プリント工程までの画像処理を共通化を図ると共に画質の均質化を図ることができ、各種のデジタル画像情報からのプリントを簡略な処理工程で、かつ高画質に得ることができる。
【００１３】
請求項２に記載の発明は、『前記第１の画像情報は、撮影用写真フィルム及び／又は反射原稿から読み込み入力されたものであり、かつ、前記第２の画像情報と同じ予定の画像サイズであることを特徴とする請求項１に記載のプリント作成方法。』である。
【００１４】
この請求項２に記載の発明によれば、ネガ型カラー透過フィルム、またはポジ型カラー透過フィルム、またはモノクロ透過フィルム、反射原稿を読み込み得られる画像情報と、各種のデジタル画像情報とを、同じ処理系統で画像処理することができ、画像情報の補正のための演算処理や画像合成処理、画像表示処理等を共通に利用できるようになる。
【００１５】
請求項３に記載の発明は、『前記撮影用写真フィルム及び／又は反射原稿から読み込み入力した画像情報に基づき画像処理条件を決定し、該画像情報より高解像度の前記撮影用写真フィルム及び／又は反射原稿から読み込み入力した画像情報に対して前記画像処理条件で画像処理変換して新たな画像情報を得るものであることを特徴とする請求項２に記載のプリント作成方法。』である。
【００１６】
この請求項３に記載の発明によれば、画像処理条件の決定に際し、より低解像度な画像情報を用いることにより、画像演算処理等の高速化が図れ、同様の処理系を用いて、各種デジタル画像情報に対する画像補正等が可能となり、各種の画像に対して、所望の画質の画像を得やすくできる。
【００１７】
請求項４に記載の発明は、『前記画像処理条件が、色及び／又は濃度補正条件であることを特徴とする請求項１乃至請求項３のいずれか１項に記載のプリント作成方法。』である。
【００１８】
この請求項４に記載の発明によれば、色及び／又は濃度補正を行うことで異なる機種のデジタルカメラを始めとする各種のデジタル画像の色を均質化することができる。
【００１９】
請求項５に記載の発明は、『前記第１の画像情報がデジタルカメラにより得られた画像情報であることを特徴とする請求項１乃至請求項４のいずれか１項に記載のプリント作成方法。』である。
【００２０】
この請求項５に記載の発明によれば、今後予想されるデジタルカメラ画像の高解像度化に対しても柔軟に対応でき、本発明の効果が顕著となる。
【００２１】
請求項６に記載の発明は、『前記第２の画像情報が前記第１の画像情報より低解像度であることを特徴とする請求項１乃至請求項５のいずれか１項に記載のプリント作成方法。』である。
【００２２】
この請求項６に記載の発明によれば、各種の画像情報に対する共通の画像処理部分を高速化でき、画像処理系全体の処理速度が向上する。
【００２９】
請求項７に記載の発明は、『複数種類の画像入力媒体のうちのいずれか１つの画像入力媒体から第１の画像情報を入力する入力手段と、該第１の画像情報を画像入力媒体の種類によらず予定の画像サイズとなるように解像度変換して第２の画像情報として得る解像度変換手段と、該第２の画像情報に基づき画像処理条件を決定し、該第１の画像情報を該画像処理条件にて画像処理変換して新たに第３の画像情報を得る画像処理手段と、を有し、該第３の画像情報に基づきプリントを作成することを特徴とするプリント作成装置。』である。
【００３０】
この請求項７に記載の発明によれば、各種の画像サイズの画像情報に対して解像度変換を実施して、予定のサイズの画像情報を得ることにより、その後の画像処理工程が共通で利用可能となり、処理系を複雑にすることなく、画像処理の応用範囲を拡大できる。予定のサイズは、１つでも、複数でも用意してよい。
【００３２】
また、この請求項７に記載の発明によれば、各種の画像入力媒体からの画像情報の画質を均質化するための画像処理条件を導き出すための画像演算等の処理工程を共通で利用可能となる。なお、本発明でいう画像入力媒体とは、画像情報の記録されているＣＤ−ＲＯＭ、フロッピー（登録商標）ディスク、光磁気ディスク、ハードディスク等の各種の記録メディアを示し、デジタルカメラ、デジタルビデオカメラ等にカメラ本体内に画像情報を記憶してなるものも含む。
さらに、この請求項７に記載の発明によれば、各種のデジタル画像情報を入力し、プリント工程までの画像処理を共通化を図ると共に画質の均質化を図ることができ、各種のデジタル画像情報からのプリントを簡略な処理工程で、かつ高画質に得ることができる。
【００３３】
請求項８に記載の発明は、『前記第１の画像情報は、撮影用写真フィルム及び／又は反射原稿から読み込み入力されたものであり、かつ、前記第２の画像情報と同じ予定の画像サイズであることを特徴とする請求項７に記載のプリント作成装置。』である。
【００３４】
この請求項８に記載の発明によれば、ネガ型カラー透過フィルム、またはポジ型カラー透過フィルム、またはモノクロ透過フィルム、反射原稿を読み込み得られる画像情報と、各種のデジタル画像情報とを、同じ処理系統で画像処理することができ、画像情報の補正のための演算処理や画像合成処理、画像表示処理等を共通に利用できるようになる。
【００３５】
請求項９に記載の発明は、『前記撮影用写真フィルム及び／又は反射原稿から読み込み入力した画像情報に基づき画像処理条件を決定し、該画像情報より高解像度の前記撮影用写真フィルム及び／又は反射原稿から読み込み入力した画像情報に対して前記画像処理条件で画像処理変換して新たな画像情報を得るものであることを特徴とする請求項８に記載の画像処理装置。』である。
【００３６】
この請求項９に記載の発明によれば、画像処理条件の決定に際し、より低解像度な画像情報を用いることにより、画像演算処理等の高速化が図れ、同様の処理系を用いて、各種デジタル画像情報に対する画像補正等が可能となり、各種の画像に対して、所望の画質の画像を得やすくできる。
【００３７】
請求項１０に記載の発明は、『前記画像処理条件が、色及び／又は濃度補正条件であることを特徴とする請求項７乃至請求項９のいずれか１項に記載のプリント作成装置。』である。
【００３８】
この請求項１０に記載の発明によれば、色及び／又は濃度補正を行うことで異なる機種のデジタルカメラを始めとする各種のデジタル画像の色を均質化することができる。
【００３９】
請求項１１に記載の発明は、『前記第１の画像情報がデジタルカメラにより得られた画像情報であることを特徴とする請求項７乃至請求項１０のいずれか１項に記載の画像処理装置。』である。
【００４０】
この請求項１１に記載の発明によれば、今後予想されるデジタルカメラ画像の高解像度化に対しても柔軟に対応でき、本発明の効果が顕著となる。
【００４１】
請求項１２に記載の発明は、『前記第２の画像情報が前記第１の画像情報より低解像度であることを特徴とする請求項７乃至請求項１１のいずれか１項に記載の画像処理装置。』である。
【００４２】
この請求項１２に記載の発明によれば、各種の画像情報に対する共通の画像処理部分を高速化でき、画像処理系全体の処理速度が向上する。
【００４９】
【発明の実施の形態】
以下、この発明のプリント作成方法及びプリント作成装置の実施の形態を、図面に基づいて説明する。
【００５０】
図１はプリント作成装置の斜視図である。
【００５１】
プリント作成装置１は、装置本体２の左側面にマガジン装填部３を備え、装置本体２内には感光材料に露光する露光処理部４と、露光された感光材料を現像処理して乾燥し、プリントを作成する現像処理部５が備えられ、作成されたプリントは装置本体２の右側面に設けられたトレー６に排出される。さらに、装置本体２の内部には、露光処理部４の上方位置に制御部７が備えられている。
【００５２】
また、装置本体２の上部には、ＣＲＴ８が配置されている。ＣＲＴ８の左側に透過原稿読み込み装置であるところのフィルムスキャナ部９が配置され、右側に反射原稿入力装置１０が配置されている。ＣＲＴ８の前側にキーボード１１が配置されている。
【００５３】
図２はプリント作成装置の概略構成図である。
【００５４】
プリント作成装置１の制御部７は、キーボード１１からの指令情報に基づき、フィルムスキャナ部９、反射原稿入力装置１０からの原稿情報の読み込みや、さらに、外部入力インターフェース１００やＰＣカードスロット１０１により、デジタルカメラやデジタルビデオカメラからの画像情報の読み込みやフロッピーディスクドライブ１０２やＣＤ−ＲＯＭドライブ１０３により、各種画像入力媒体からの画像情報の読み込みを行い、画像情報を得て画像情報記憶部７１に記憶し、画像処理部７０により画像処理してＣＲＴ８に表示し、またはプリントを作成する。
【００５５】
フィルムスキャナ部９と、反射原稿入力装置１０は、現像処理済みのハロゲン化銀写真感光材料上の画像を読み取り画像情報を得る画像読取手段を構成している。フィルムスキャナ部９から原稿２０として、撮影用写真フィルム、例えば、ネガ型カラー透過原稿、またはポジ型カラー透過原稿、またはモノクロ透過原稿等のフィルムＮを読み込むことができる。また、反射原稿入力装置１０は、原稿２０として、反射原稿、例えば、フィルムの画像を焼き付けて現像処理して得られたプリントＰを読み込むことができる。
【００５６】
また、ＰＣカードスロット１０１は、各種のデジタルカメラにより得られた画像情報を入力する手段として構成され、このＰＣカードスロット１０１に各種のデジタルカメラで撮像された画像情報が記憶された記憶媒体Ｇがセットされ、この記憶媒体Ｇから各種のデジタルカメラにより得られた画像情報が読み取られる。また、各種のデジタルカメラにより得られた画像情報をシリアル通信により外部入力インターフェース１００を介して得ることもできる。
【００５７】
画像処理部７０では、読み込まれた画像情報を画像処理して露光用画像情報を形成し、露光処理部４に送る。露光処理部４では、感光材料に画像の露光が行われ、この感光材料を現像処理部５に送り、現像処理部５で露光された感光材料を現像処理して乾燥し、プリントを作成する。
【００５８】
図３はフィルムスキャナ部の概略構成図である。
【００５９】
フィルムスキャナ部９では、原稿２０として、ネガ型カラー透過原稿、またはポジ型カラー透過原稿、またはモノクロ透過原稿等の原稿を読み込むことができる。フィルム形態の原稿２０は搬送ローラ２１により搬送される。搬送ローラ２１はモータ２２で駆動され、このモータ２２はモータ制御部２３により制御される。光源２９が発光して原稿２０を透過する光は、ＣＣＤ２４により受光され、ＣＣＤ２４で得られた原稿画像は、ＣＰＵ２５に送られる。ＣＣＤ２４はＣＣＤ制御部２６により制御される。ＣＰＵ２５は、ＣＣＤ制御部２６、モータ制御部２３を制御する。また、ＣＰＵ２５は、プリスキャン制御部２７を制御してプリスキャンを行い、プリスキャン情報を記憶部２８に記憶して、プリスキャン画像情報に基づく演算処理を行い、本スキャンで得られる画像情報に対する補正値の補正を行い制御部７に送る。
【００６０】
図４はプリント作成装置の概略構成図である。
【００６１】
プリント作成装置１には、感光材料５０が搬送ローラ３０により送出されてカッター３１により所定長さに切断する。この感光材料は露光処理部４に送られる。露光処理部４では、露光ヘッド４０により原稿に対する露光補正条件で感光材料の乳剤面に露光して記録され、搬送ローラ３２は感光材料５０を現像処理部５へ送る。
【００６２】
露光ヘッド４０に代えてレーザー走査露光による画像記録を利用するものでもよく、感光材料に形成される３原色の感光層、例えばＲ、ＧおよびＢの３色の露光に対応する３種のレーザーを、記録用の画像情報に応じて変調して主走査方向に偏向すると共に、この主走査方向と略直交する方向に、感光材料を副走査搬走することにより、記録画像に応じて変調されたレーザーによって感光材料を２次元的に走査露光して画像情報を感光材料に記録する。
【００６３】
制御部７に備えられる画像処理部７０では、フィルムスキャナ部９、反射原稿入力装置１０、記憶媒体を読み取る手段、又は外部インターフェース１００を介してデジタルカメラ等から読み込まれた画像情報に画像処理を施し補正された画像情報を得る。記憶媒体としてはコンピュータで読取可能で、画像情報を記憶可能な媒体であればよく、例えばＰＣカード、フロッピーディスク、ＣＤ−ＲＯＭ等が挙げられる。
【００６４】
画像処理部７０は、ＰＣカードスロット１０１、外部入力インターフェース１００、フロッピーディスクドライブ１０２またはＣＤ−ＲＯＭドライブ１０３から読み込まれた第１の画像情報に画像サイズの変換処理として解像度変換を行い、予定の画像サイズ（１つでも、複数でもよい）の第２の画像情報を得る手段と、この第２の画像情報に応じた画像処理条件を求め、この画像処理条件に基づき画像処理し、新たな画像情報を得る手段とを有する。
【００６５】
この際、画像処理を施す対象は第１の画像情報、第２の画像情報、又第１及び第２の画像情報とは異なる画像サイズの第３の画像情報でもよい。例えば、１枚の記録紙に１つ画像を記録するような通常のプリントを作成する際には、第１の画像情報に対して求められた画像処理条件に基づき画像処理を施し、新たな画像情報を得てもよいし、１枚の記録紙に複数の小さな画像を記録するようなプリント（インデックスプリントなど）を作成する際には第２の画像情報に対して施し、新たな画像情報を得るようにしてもよい。
【００６６】
また、画像サイズの変換として解像度変換をして第２の画像情報を得る手段としては、間引き処理や画素補間等の画像の拡大縮小処理により得る手段の他、撮像された画像情報がすでに複数の解像度の画像からなるファイルフォーマットの画像情報であれば、所望の解像度の画像情報を選択し得る手段等がある。
【００６７】
ここで各種（種類としてはメーカー、機種、製造ロット等が挙げられる）のデジタルカメラにより得られた画像情報を入力する場合を説明すると、この入力された第１の画像情報と異なる画像サイズの第２の画像情報（低解像度であることが好ましい）を得、この第２の画像情報に応じた画像処理条件に基づき画像処理し、新たな画像情報を得る。これにより、画質の均質化を図ることが可能である。
【００６８】
この発明で言うデジタルカメラからの画像情報とは、デジタル方式のビデオカメラからの１フレームの画像情報も含む。
【００６９】
また、ネガフィルムから画像情報を読み込むフィルムスキャナ部９から得られたネガフィルム（３５ｍｍ、ＡＰＳ、１１０等。画面サイズが異なるものも入力される）のからの画像情報を入力する場合を説明すると、この画像情報と上記の各種のデジタルカメラにより得られた第２の画像情報とを、同じ予定の画像サイズ（サイズは１つでも、複数でもよい）としておき（従ってこの場合、画像処理部７０での画像サイズの変換は行われない）を、この画像情報に応じた画像処理条件に基づき画像処理をし、新たな画像情報を得る。また、反射原稿入力装置１０を用いて得られた画像情報を入力する場合も、ネガフィルムからの画像情報と同様に上記の各種のデジタルカメラにより得られた第２の画像情報と同じ予定の画像サイズとしておき、同様にして新たな画像情報を得る。
【００７０】
尚、上記のフィルムスキャナ部９、反射原稿入力装置１０から入力された画像情報（この場合、第１の画像情報に相当する）は、入力された後に上記第２の画像情報とを、同じ予定の画像サイズ（サイズは１つでも、複数でも良い）となるようにし、そして予定の画像サイズとなった画像情報（この場合、第２の画像情報に相当する。第２の画像情報は、第１の画像情報より画像サイズが小さいことが好ましい。）に応じた画像処理条件に基づき画像処理をし、新たな画像情報を得るようにしてもよい。
【００７１】
また、新たな画像情報を得るための画像処理を施す対象は、上記の画像処理条件を決めるために用いられた画像情報であっても、再度新たにネガフィルムや反射原稿をスキャンして得られた画像情報（これは画像処理条件の決定のための画像情報より高解像度であることが好ましい）であっても、予定の画像サイズとされる前の入力された画像情報であってもよい。ただし、ネガフィルムからの画像情報からインデックスプリントを作成するような場合は、予定のサイズの画像情報に対して画像処理条件に基づき画像処理をして新たな画像情報を得る方がインデックスプリントを作成するためにかかる時間を節約できて好ましい。
【００７２】
このように、ネガ型カラー透過フィルム、またはポジ型カラー透過フィルム、またはモノクロ透過フィルム、または反射原稿を読み込み得られる画像情報と、各種のデジタルカメラからの得られる画像情報さらには、コンピュータで読取可能な画像情報を記憶可能な各種媒体から入力された画像情報とを、同じ処理系統で画像処理することができる。
【００７３】
尚、画像処理条件としては、例えば色及び／又は濃度補正条件を挙げることができ、この色及び／又は濃度補正を行うことで各種の画像情報の色や濃度を均質化することができる。
【００７４】
このように、各種の画像情報を入力し、これらの画像情報の均質化を図ることができ、さらには各種の画像情報から均質化された高画質のプリントの作成や画像の表示手段（例えば、ＣＲＴ）での表示をすることができる。
【００７５】
色、濃度の補正方法としては、例えば画像情報の平均値に基づき行うことができる。例えば、ひとつの画像情報中の画素の平均値をＲ＝Ｇ＝Ｂ＝１２８となるようシフト量を算出する手法があり、これは、例えば低解像度の第２の画像情報の各色毎の画素の平均値がＲ＝１０８、Ｇ＝１１８、Ｂ＝ｌ３８であれば、Ｒに対して＋２０、Ｇに対して＋１０、Ｂに対して−１０の補正量を設定して、これに基づき第１の画像情報の各画素の値をレベルシフトして、補正後の新たな画像情報を得ることにより、補正を行おうとするものである。
【００７６】
さらに、色補正については、特開平９−２６１５０５号公報に記載のカラー原画像を複数のブロックに分割し、高彩度のブロックの影響を減じてカラー原画像から所定の第１統計を求め、第１統計に基づいて、高彩度画素の影響を減じて所定の第２統計を求め、第２統計に基づいて、カラー原画像に対する色補正量を求める方法、特開平９−２９４２１５号公報に記載のカラー原画像の画素の各種原色データから異なる複数の統計を求め、複数の統計の各種について求めた統計からニュートラル画素を抽出するための抽出条件を導出し、導出された抽出条件を全て満足する画素であるニュートラル画素を原画像から抽出し、抽出されたニュートラル画素の情報に基づき、カラー原画像から色再現する方法等を用いることにより、カラーフェリアの影響を抑えた補正が可能となる。
【００７７】
さらに、濃度補正については、特開平５−９３９７３号公報に記載の得られた画像情報から原画の画像特性を計算し、この画像特性値及び／もしくは画像特性値の関数の線形一次和により原画の特性を評価し、この評価結果によって原画が予め定められた複数の集合のうちどの集合に応じて予め定められた回帰式によって、原画に対する露光量もしくは露光補正量を算出する方法等を用いることにより、デンシティーフェリアの影響を抑えた補正が可能となり、好ましい。
【００７８】
図５はプリント作成装置の他の実施の形態を示す概略構成図である。
【００７９】
プリント作成装置１の制御部７には、予め求めた各種デジタルカメラ用の画像処理条件（種類としてはメーカー、機種、製造ロット等が挙げられる）を記憶する手段を構成する画像処理条件記憶部７３が設けられ、画像処理部７０は、入力された第１の画像情報に対して予め求めて記憶されている各種デジタルカメラ用の画像処理条件に基づき画像処理し、新たな画像情報を得て、露光処理部４に送る。露光処理部４では、感光材料に画像の露光が行われ、この感光材料を現像処理部５に送り、現像処理部５で露光された感光材料を現像処理して乾燥し、プリントを作成する。これにより、各種のデジタルカメラからの画像情報の画質を均質化でき、さらには均質化したプリントを得ることができるようになる。
【００８０】
画像処理条件記憶部７３に記憶されている画像処理条件の例としては、色、濃度のレベルシフト量、コントラスト変換量、彩度変換用の色マトリクス係数、等があり、これらの値により直接画像情報を演算しては補正後の画像情報を得たり、または画像処理条件に基づき、ＬＵＴを設定し、これにより画像情報を変換して補正後の画像情報を得ても良い。なお、各種デジタルカメラから画像情報と、予め求めた各種デジタルカメラ用の画像処理条件との対応をとる手法としては、作業者が手動で設定する他、画像情報にデジタルカメラの種類の情報を付与し、これを読み取って自動に設定しても良い。
【００８１】
このように、入力された第１の画像情報を、予め求めて記憶されている各種デジタルカメラの用の画像処理条件を用い、画像処理条件に基づく第１の画像情報の画像処理を短時間に行うことができ、処理速度を向上することができる。
【００８２】
また、図６、図７で示すように、ＣＲＴ８の画像に６駒表示を行い、所定のタッチパネル８ａの操作キーボード１１の操作による手動にて色や濃度を調整する場合でも、同一の画像サイズの画像合成による表示であるため、画像表示のための処理を、フィルム画像用、デジタルカメラ画像用等で切り替えて適用する必要がなく、これにより処理系統を簡略化できる。
【００８３】
なお、図７のデジタルカメラ画像に対しては、その縦横比をフィルム画像のそれと合わせるために、画像の縦方向に画像を自動的に付加して表示している。なお、上記画像合成処理は複数の画像を配してなるインデックスプリント作成時にも同様に入力画像の種類に応じてインデックスプリントのプリントフォーマットを用意する必要がなくなり、好ましい。
【００８４】
【発明の効果】
この請求項１記載の発明によれば、各種の画像サイズの画像情報に対して解像度変換を実施して、予定のサイズの画像情報を得ることにより、その後の画像処理工程が共通で利用可能となり、処理系を複雑にすることなく、画像処理の応用範囲を拡大できる。
【００８５】
また、この請求項１に記載の発明によれば、各種の画像入力媒体からの画像情報の画質を均質化するための画像処理条件を導き出すための画像演算等の処理工程を共通で利用可能となる。なお、本発明でいう画像入力媒体とは、画像情報の記録されているＣＤ−ＲＯＭ、フロッピー（登録商標）ディスク、光磁気ディスク、ハードディスク等の各種の記録メディアを示し、デジタルカメラ、デジタルビデオカメラ等にカメラ本体内に画像情報を記憶してなるものも含む。
さらに、この請求項１に記載の発明によれば、各種のデジタル画像情報を入力し、プリント工程までの画像処理を共通化を図ると共に画質の均質化を図ることができ、各種のデジタル画像情報からのプリントを簡略な処理工程で、かつ高画質に得ることができる。
【００８６】
この請求項２に記載の発明によれば、ネガ型カラー透過フィルム、またはポジ型カラー透過フィルム、またはモノクロ透過フィルム、反射原稿を読み込み得られる画像情報と、各種のデジタル画像情報とを、同じ処理系統で画像処理することができ、画像情報の補正のための演算処理や画像合成処理、画像表示処理等を共通に利用できるようになる。
【００８７】
この請求項３に記載の発明によれば、画像処理条件の決定に際し、より低解像度な画像情報を用いることにより、画像演算処理等の高速化が図れ、同様の処理系を用いて、各種デジタル画像情報に対する画像補正等が可能となり、各種の画像に対して、所望の画質の画像を得やすくできる。
【００８８】
この請求項４に記載の発明によれば、色及び／又は濃度補正を行うことで異なる機種のデジタルカメラを始めとする各種のデジタル画像の色を均質化することができる。
【００８９】
この請求項５に記載の発明によれば、今後予想されるデジタルカメラ画像の高解像度化に対しても柔軟に対応でき、本発明の効果が顕著となる。
【００９０】
この請求項６に記載の発明によれば、各種の画像情報に対する共通の画像処理部分を高速化でき、画像処理系全体の処理速度が向上する。
【００９４】
この請求項７に記載の発明によれば、各種の画像サイズの画像情報に対して解像度変換を実施して、予定のサイズの画像情報を得ることにより、その後の画像処理工程が共通で利用可能となり、処理系を複雑にすることなく、画像処理の応用範囲を拡大できる。
【００９５】
また、この請求項７に記載の発明によれば、各種の画像入力媒体からの画像情報の画質を均質化するための画像処理条件を導き出すための画像演算等の処理工程を共通で利用可能となる。なお、本発明でいう画像入力媒体とは、画像情報の記録されているＣＤ−ＲＯＭ、フロッピー（登録商標）ディスク、光磁気ディスク、ハードディスク等の各種の記録メディアを示し、デジタルカメラ、デジタルビデオカメラ等にカメラ本体内に画像情報を記憶してなるものも含む。
さらに、この請求項７に記載の発明によれば、各種のデジタル画像情報を入力し、プリント工程までの画像処理を共通化を図ると共に画質の均質化を図ることができ、各種のデジタル画像情報からのプリントを簡略な処理工程で、かつ高画質に得ることができる。
【００９６】
この請求項８に記載の発明によれば、ネガ型カラー透過フィルム、またはポジ型カラー透過フィルム、またはモノクロ透過フィルム、反射原稿を読み込み得られる画像情報と、各種のデジタル画像情報とを、同じ処理系統で画像処理することができ、画像情報の補正のための演算処理や画像合成処理、画像表示処理等を共通に利用できるようになる。
【００９７】
この請求項９に記載の発明によれば、画像処理条件の決定に際し、より低解像度な画像情報を用いることにより、画像演算処理等の高速化が図れ、同様の処理系を用いて、各種デジタル画像情報に対する画像補正等が可能となり、各種の画像に対して、所望の画質の画像を得やすくできる。
【００９８】
この請求項１０に記載の発明によれば、色及び／又は濃度補正を行うことで異なる機種のデジタルカメラを始めとする各種のデジタル画像の色を均質化することができる。
【００９９】
この請求項１１に記載の発明によれば、今後予想されるデジタルカメラ画像の高解像度化に対しても柔軟に対応でき、本発明の効果が顕著となる。
【０１００】
この請求項１２に記載の発明によれば、各種の画像情報に対する共通の画像処理部分を高速化でき、画像処理系全体の処理速度が向上する。
【図面の簡単な説明】
【図１】プリント作成装置の斜視図である。
【図２】プリント作成装置の概略構成図である。
【図３】フィルムスキャナ部の概略構成図である。
【図４】プリント作成装置の概略構成図である。
【図５】プリント作成装置の他の実施の形態を示す概略構成図である。
【図６】ＣＲＴの画像に６駒表示を行い手動にて色や濃度を調整する場合の実施の形態を説明する図である。
【図７】ＣＲＴの画像に６駒表示を行い手動にて色や濃度を調整する場合の実施の形態を説明する図である。
【符号の説明】
１  プリント作成装置
４  露光処理部
５  現像処理部
７  制御部
８  ＣＲＴ
９  フィルムスキャナ部
１０  反射原稿入力装置
１１  キーボード
７０  画像処理部
７１  画像情報記憶部
７３画像処理条件記憶部
【図１】
0003702692.tif 000002
【図２】
0003702692.tif 000003
【図３】
0003702692.tif 000004
【図４】
0003702692.tif 000005
【図５】
0003702692.tif 000006
【図６】
0003702692.tif 000007
【図７】
0003702692.tif 000008